(57)【要約】      （修正有）【課題】簡単かつ安全で、尖鋭部や鋭利辺を備えず、しかも構成がユニークな空心玩具球構造を提供する。【解決手段】空心玩具球構造１０であって、第一軸端２０、第二軸端２１を備える。各軸端２０、２１間には、複数の第一棒体３０を連接し、球体表面１１０を構成し、しかも相互に隣接する各第一棒体３０間には環状体６０を連接する。複数の第二棒体４０と複数の第三棒体５０は、２個の第一軸端２０より延伸し、各第一棒体３０の間に設置し、第二棒体４０の一端を利用し第一軸端２０に連接し、第二棒体４０の反対端は環状体６０に連接し、第三棒体５０の一端は第二軸端２１に連接し、第三棒体５０の反対端は環状体６０に連接し、各第二棒体４０、各第三棒体５０、各環状体６０は空心玩具球の球体表面１１０の一部を構成する。【選択図】図３Ａ
0003195891.tif 000002
【実用新案登録請求の範囲】
【請求項１】
空心玩具球構造であって、第一軸端、第二軸端、複数の環状体、複数の第二棒体、複数の第三棒体を備え、
前記第二軸端は、前記第一軸端の相対側に位置し、複数の第一棒体を、前記第一軸端と前記第二軸端との間に連接し、球体表面の第一エリアを構成し、
前記環状体は、相互に隣接する前記第一棒体の間に連接し、これにより前記各環状体は、球体表面の第二エリアを構成し、
前記第二棒体は、前記第一軸端より延伸し、相互に隣接する第一棒体の間に設置し、前記第二棒体の一端は、前記第一軸端に連接し、前記第二棒体の反対端は、前記環状体に連接し、しかも前記各第二棒体は、球体表面の第三エリアを構成し、
前記第三棒体は、前記第二軸端より延伸し、相互に隣接する第一棒体の間に設置し、前記第三棒体の一端は、前記第二軸端に連接し、前記第三棒体の反対端は、前記環状体に連接し、しかも前記各第三棒体は、球体表面の第四エリアを構成することを特徴とする空心玩具球構造。
【請求項２】
前記各第一棒体、前記各第二棒体、前記各第三棒体は、側面から見ると曲面弧状で、しかも前記各第一棒体は、正面から見ると、曲りくねった湾曲状であることを特徴とする請求項１に記載の空心玩具球構造。
【請求項３】
前記各第一棒体、前記各第二棒体、前記各第三棒体が構成する球体表面は好ましくは、それぞれ９本の棒体を利用して構成することを特徴とする請求項１に記載の空心玩具球構造。
【請求項４】
前記各環状体が構成する球体表面は好ましくは、６個の環状体を利用して構成することを特徴とする請求項１に記載の空心玩具球構造。
【請求項５】
前記空心玩具球構造はさらに、複数の補助環状体を設置し、
前記各補助環状体は、相互に隣接する前記第一棒体と前記第二棒体との間にそれぞれ設置することを特徴とする請求項１に記載の空心玩具球構造。
【請求項６】
前記空心玩具球構造はさらに、複数の補助環状体を設置し、
前記各補助環状体は、相互に隣接する前記第一棒体と前記第三棒体との間にそれぞれ設置することを特徴とする請求項１に記載の空心玩具球構造。
【請求項７】
前記補助環状体は、前記第一棒体を隔てて、前記環状体の片側に隣接して設置することを特徴とする請求項５或いは６に記載の空心玩具球構造。
【請求項８】
空心玩具球構造であって、第一軸端、第二軸端、少なくとも１個の環状体を備え、
前記第二軸端は、前記第一軸端の相対側に位置し、複数の第一棒体を、前記第一軸端と前記第二軸端との間に連接し、球体表面の第一エリアを構成し、
前記環状体は、相互に隣接する前記第一棒体の間に連接し、これにより前記各環状体は、球体表面の第二エリアを構成することを特徴とする空心玩具球構造。
【請求項９】
前記相互に隣接する２個の第一棒体の間には、複数の環状体を設置し、
前記各環状体間、前記環状体と前記第一軸端間、前記環状体と前記第二軸端間には、分段を呈する棒体を連結して設置することを特徴とする請求項８に記載の空心玩具球構造。
【請求項１０】
前記各第一棒体は、側面から見ると曲面弧状で、
前記各第一棒体は、正面から見ると曲りくねった湾曲状であることを特徴とする請求項８に記載の空心玩具球構造。
【考案の詳細な説明】
【技術分野】
【０００１】
本考案は、玩具球に関し、空心玩具球構造に関する。
【背景技術】
【０００２】
テクノロジーが日進月歩の発展を見せている現代において、人類は絶えず研究と開発を続け、しかも常に新しい事物や新しい要素などを発見している。
そのため、人類が学ばなければならないものはどんどん増えている。
人類の知能の開発においては、幼い内から行えば、大脳を刺激することができる。
また、遊びの中からの新しい事物の学習は、嬰児や幼児に最適な学習法で、興味を利用し、嬰児や幼児の好奇心と学習を導くことができる。
【０００３】
そのため、さまざまなタイプの教育玩具が開発されており、それはまた現在では市場のメインストリームともなっている。
多くの人材が、この分野で研究開発を続けており、絶えず新しい嬰/幼児の玩具製品が市場に投入されている。
嬰/幼児玩具の開発分野では、専門の人材が豊富だが、不届きなメーカーが存在することも否定できない。
このため、市販の製品は玉石混交の状態で、危険な製品もその中には潜んでいる。
これが、嬰/幼児玩具を選択する際に、父母が注意しなければならない点であり、また嬰/幼児玩具の専門開発者としては、優良製品の開発のためにさらに力を尽くし、不良品の危険を完全に払拭しなければならない。
【０００４】
嬰/幼児玩具において、しばしば見られるタイプは、球類である。
球類玩具は、鋭利な尖端が少ないため、嬰/幼児が怪我をする恐れがないなどの理由から、球類は、嬰/幼児玩具としてよく利用される。
【０００５】
図１に示す従来の球類玩具は、玩具球装置上の、複数の環状構造１４、１６を備える網状格子１２を利用する。
環状構造１４、１６周辺には、相互に対応する表面１８を設置する。
相互に対応する表面１８が、相互に結合すると、環状構造は、装置の１個の表面を形成する。
構造の外観は、重複する大小の環状構造１４、１６により構成する空心球体である。
球体の構成は単調で、しかも構造の多くは重複する曲面であるため、多数回の接合成形を必要とし、生産プロセスが複雑である。
【考案の概要】
【考案が解決しようとする課題】
【０００６】
本考案の第一の目的は、複数の棒体構造を利用し球体表面を組成するため、その構造は簡単かつ安全で、尖鋭部や鋭利辺を備えず、しかも球体の構成はアクティブでユニークである空心玩具球構造を提供することにある。
【０００７】
本考案の第二の目的は、複数の環状体を利用し構造強度を強化することができる空心玩具球構造を提供することにある。
【課題を解決するための手段】
【０００８】
本考案による空心玩具球構造は、第一軸端、第二軸端、複数の環状体、複数の第二棒体、複数の第三棒体を備える。
第二軸端は、第一軸端の片側に位置し、複数の第一棒体を、第一軸端と第二軸端との間に連接し、球体表面の第一エリアを構成する。
環状体は、相互に隣接する各第一棒体の間に連接し、これにより各環状体は、球体表面の第二エリアを構成する。
第二棒体は、第一軸端より延伸し、各第一棒体の間に設置し、第二棒体の一端は、第一軸端に連接し、各第二棒体の反対端は、環状体に連接し、しかも各第二棒体は、球体表面の第三エリアを構成する。
第三棒体は、第二軸端より延伸し、各第一棒体の間に設置し、第三棒体の一端は、第二軸端に連接し、各第三棒体の反対端は、環状体に連接し、しかも各第三棒体は、球体表面の第四エリアを構成する。
【０００９】
空心玩具球構造であって、第一軸端、第二軸端、少なくとも１個の環状体を備える。
第二軸端は、第一軸端の相対側に位置し、複数の第一棒体を、第一軸端と第二軸端との間に連接し、球体表面の第一エリアを構成する。
環状体は、相互に隣接する第一棒体の間に連接し、これにより各環状体は、球体表面の第二エリアを構成する。
【考案の効果】
【００１０】
従来の構造に存在する欠点を改善することができる本考案の空心玩具球は、２個の軸端を備える。
２個の軸端の間には、複数の第一棒体、複数の第二棒体、複数の環状体区像を利用して、球体表面を組成する。
それを外から見ると、複数の第一棒体と複数の第二棒体を利用し、回転方式により曲面弧状の構造により構成する空心球体を形成する。
各第一棒体と各第二棒体との間には、複数の環状体を備え、空心円球体の構造を強化する。
その球体の構成は、アクティブかつユニークである。
【００１１】
また、この空心球体は、２個の曲面構造から構成されるため、一度の接合成形を利用するだけであるため、生産プロセスが非常にシンプルである。
よって、本考案は、従来の空心玩具球技術に比較し、新規性と進歩性を備える。
【図面の簡単な説明】
【００１２】
【図１】従来の玩具球の構造図である。
【図２Ａ】本考案第一実施形態による空心玩具球構造の模式図である。
【図２Ｂ】本考案第一実施形態の変化実施形態の模式図である。
【図３Ａ】本考案第二実施形態による空心玩具球構造の側視図である。
【図３Ｂ】本考案第二実施形態による空心玩具球構造の上視図である。
【図３Ｃ】本考案第二実施形態による空心玩具球構造の組合せ模式図である。
【図４】本考案第三実施形態による空心玩具球構造の模式図である。
【図５Ａ】本考案第四実施形態による空心玩具球構造の組合せ球の模式図一である。
【図５Ｂ】本考案第四実施形態による空心玩具球構造の組合せ球の模式図二である。
【考案を実施するための形態】
【００１３】
本考案の一実施形態による空心玩具球構造を図面に基づいて説明する。
図１に示すように、従来の玩具球構造は、複数の環状構造を備える。
環状構造周辺には、相互に対応する表面を設置する。
相互に対応する表面が相互に結合すると、環状構造は装置の１個の表面を形成する。
構造の外観は、重複する大小の環状構造により構成する空心球体である。
全体の構成は単調で、しかも構造の多くは重複する曲面であるため、多数回の接合成形を必要とし、生産プロセスが複雑である。
しかも、多数の接合面を備えるため、構造が不安定である。
さらに、接合面の相互接合位置の表面には、非平滑平面を生じ易く、尖鋭部や鋭利辺が生まれ安全性が充分とはいえない。
【００１４】
これに対して、本考案は、棒状構造の結合を利用して球体表面を形成する。
球体表面の構造はシンプルで、一度の接合を行うだけでよい。
しかも、接合面が少ないため、接合面が完全に密着せず、尖鋭部や鋭利辺が生まれるという欠陥が生じにくい。
【００１５】
本考案第一実施形態による空心玩具球構造の模式図である図２Ａに示すように本考案の空心玩具球構造１０は、第一軸端２０、第二軸端２１、複数の環状体６０を備える。
【００１６】
第二軸端２１は、第一軸端２０の片側に相対して位置し、複数の第一棒体３０を、第一軸端２０と第二軸端２１との間に連接する。
これにより、各第一棒体３０は、球体表面１１０上の第一エリア３１０を構成する。
【００１７】
各環状体６０は、相互に隣接する２個の第一棒体３０の間に連接する。
これにより、各環状体６０は、球体表面１１０の第二エリア６１０を構成する。
【００１８】
複数の第二棒体４０は、第一軸端２０より延伸する。
各第二棒体４０は、相互に隣接する２個の第一棒体３０の間に設置する。
第二棒体４０の一端を利用し、第一軸端２０に連接する。
第二棒体４０の反対端は、それが対応する環状体６０に連接する。
しかも、各第二棒体４０は、球体表面１１０の第三エリア４１０を構成する。
【００１９】
複数の第三棒体５０は、相互に隣接する２個の第一棒体３０の間に設置する。
第三棒体５０の一端を利用し、第二軸端２１に連接する。
第三棒体５０の反対端は、環状体６０に連接する。
しかも、各第三棒体５０は、球体表面１１０の第四エリア５１０を構成する。
【００２０】
上記したように、各第三棒体５０は、第二棒体４０に対応する組合せ状態を呈する。
第三棒体５０と第二棒体４０との相対端の間は、環状体６０に連接する。
【００２１】
図２Ｂに示すように、適当な実施方式において、２個の第一棒体３０間には、複数の環状体６０を設置して連結することができる。
図示のように、２個の第一棒体３０間には、３個の環状体６０、６０Ａ、６０Ｂを設置して連結する。
環状体６０は、直径が一番大きい。
環状体６０Ａ、６０Ｂは、直径が比較的小さく、環状体６０の上、下端（図示の方向による）に位置する。
さらに、環状体６０、６０Ａ、６０Ｂ間は、第二棒体４０、第三棒体５０により連結することができる。
【００２２】
図示のように、第二棒体４０は、第一軸端２０と環状体６０との間で、分段を呈して設置される。
同様に、第三棒体５０は、第二軸端２１と環状体６０との間で、分段を呈して設置される。
第二棒体４０もまた、分段を呈して、第一軸端２０、環状体６０Ａ間と環状体６０Ａ、環状体６０間に連結される。
第三棒体５０は、分段を呈して、第二軸端２１、環状体６０Ｂ間と環状体６０Ｂ、環状体６０間に連結される。
【００２３】
この時、順番に、第一軸端２０、環状体６０Ａ、６０、６０Ｂ、第二軸端２１の間に連結する第二棒体４０、或いは第三棒体５０は、それぞれ区分された棒体を構成する。
本実施形態においては、区分された棒体（第二棒体４０、第三棒体５０）は、省略することができる。
すなわち、相互に隣接する２個の第一棒体３０間には複数の環状体６０のみを設置する。
【００２４】
上記したように、本考案の第一棒体３０、第二棒体４０、第三棒体５０は、側面から見ると弧状である。
例えば、直線棒体構造を湾曲させれば、第一棒体３０は、側面から見ると半円の弧状を備える棒状体を形成する。
各第一棒体３０を利用して環状にし、球体表面１１０形成し、環状体６０の左右両側辺を、隣接する各第一棒体３０にそれぞれ連接する。
また、環状体６０の上側辺は、第二棒体４０の反対端に連接する。
環状体６０の下側辺は、第三棒体５０の反対端に連接する。
第二棒体４０と第三棒体５０は、環状体６０を隔てて対応して設置する状態を呈するが、これに限定するものではない。
【００２５】
本考案は、各第一棒体３０、各第二棒体４０、各第三棒体５０、各環状体６０を利用し、球体表面１１０を構成する。
その構造は、簡単かつ安全で、尖鋭部や鋭利辺である接合面と接合部を備えない。
さらに、複数の環状体６０を利用し、各第一棒体３０、各第二棒体４０、第三棒体５０との間の構造強度を強化することができる。
これにより、玩具球は、より大きな圧力と外力により衝撃に耐えることができる。
しかも、第一棒体３０、第二棒体４０、第三棒体５０、環状体６０は、弾性材料であるため、本考案玩具球が外力を受けて変形したとしても、外力が消失すれば、弾性回復により、もとの球体構造を回復する。
【００２６】
本考案第二実施形態による空心玩具球構造の側視図、上視図である図３Ａ、３Ｂに示すように、本考案第二実施形態は、第一実施形態の構造基礎の上に、変化を加える。
図に示すように、第一棒体３０、第二棒体４０、第三棒体５０は、正面から見ると、Ｓ字型湾曲状などの曲りくねった湾曲状である。
それは、第一実施形態の構造を、第一軸端２０と第二軸端２１とを基準とし、玩具球構造１０をひねり湾曲させる。
例えば、第一棒体３０をひねり湾曲させて、正面か襤褸とＳ字型の湾曲状とする。
第一棒体３０、第二棒体４０もまた、同形態のひねり湾曲を行い、或いは同様に、第一軸端２０を、一方向に回転させ、第二軸端２１を他方向に回転させる。
これにより、玩具球構造１０全体は、ひねり後のＳ字型形状第一棒体３０を呈する。
【００２７】
本考案第二実施形態は、第一軸端２０と第二軸端２１とを、相互に反対方向にひねることで生じる構造状態と同等である。
各第一棒体３０は、ひねり後のＳ字型湾曲構造を生じ、第一軸端２０と第二軸端２１との間に連接する。
第二棒体４０は、第一軸端２０より延伸し、ひねり後の相互に隣接する各第一棒体３０の間に設置する。
第二棒体４０は、第一軸端２０より延伸後、ひねり後の相互に隣接する第一棒体３０のＳ字型湾曲構造の曲面に従い、環状体６０に設置して連接する。
第三棒体５０は、第二軸端２１より延伸し、ひねり後の相互に隣接する各第一棒体３０の間に設置する。
第三棒体５０は、延伸後、ひねり後の相互に隣接する第一棒体３０のＳ字型湾曲構造の曲面に従い、環状体６０に設置して連接する。
【００２８】
本考案の玩具球構造１０の球体表面１１０は好ましくは、９本の第一棒体３０、９本の第二棒体４０、９本の第三棒体５０、６個の環状体６０により組成するが、本考案は、第一棒体３０、第二棒体４０、第三棒体５０、環状体６０の構造数量を限定するものではない。
上記した実施形態は、本考案の一実施形態に過ぎない。
本実施形態においては、第一棒体３０、第二棒体４０、第三棒体５０を正面から見ると、曲りくねった湾曲状（Ｓ字型湾曲状など）を呈する。
同様に、図２Ａに示す相互に隣接する第一棒体３０間の複数の環状体６０、６０Ａ、６０Ｂ、及び複数の分段を呈する棒体（第二棒体４０、第三棒体５０）の設置に適用することができる。
【００２９】
本考案第二実施形態による空心玩具球構造の組合せ模式図であるである図３Ｃに示すように、本考案は、２個の曲面の玩具球構造１０を利用する。
それは、左半球面７０、右半球面８０を備える。
左半球面７０と右半球面８０とは、相互に対応する局面構造である。
左半球面７０の辺縁は、半分の第一棒体３１で、右半球面８０の辺縁は、半分の第一棒体３２である。
半分の第一棒体３１と半分の第一棒体３２とは、相互に結合して、完全な第一棒体３０を構成する。
これにより、左半球面７０と右半球面８０とは結合し、完全な玩具球構造１０を構成する。
本考案は、２個の曲面を一度接合成形する方式を利用するため、生産プロセスは簡単で、しかも曲面結合を利用するため、玩具球構造１０の結合状態はより堅固となり、その構造は、上下左右にずれたり分離したりしにくくなる。
【００３０】
本考案第三実施形態の空心玩具球構造の模式図である図４に示すように、本実施形態と第二実施形態との相異を、以下に説明する。
本考案第三実施形態では、複数の補助環状体６０Ｃ、複数の補助環状体６０Ｄを設置する。
各補助環状体６０Ｃと各補助環状体６０Ｄとは、環状体６０より直径が小さい。
本実施形態の補助環状体６０Ｃは、相互に隣接する第一棒体３０と第二棒体４０との間に設置する。
しかも、補助環状体６０Ｃは、第一棒体３０を隔て、環状体６０の片側に隣接して設置する。
また、補助環状体６０Ｄは、隣接する第一棒体３０と第三棒体５０との間に設置し、しかも補助環状体６０Ｄは、第一棒体３０を隔て、環状体６０の他方の側に隣接して設置する。
本実施形態の補助環状体６０Ｃと補助環状体６０Ｄとは、環状体６０の両側にそれぞれ設置する。
すなわち、環状体６０は、補助環状体６０Ｃと補助環状体６０Ｄとの間に、挟まれて設置される。
【００３１】
本考案第四実施形態による空心玩具球構造の組合せ球の模式図一、及び模式図二である図５Ａ、５Ｂに示すように、本実施形態ではさらに、球体７０を設置する。
球体７０は、玩具球構造１０内に設置する。
球体７０は、実心の小球構造で、玩具球構造１０に使用における面白味を加えることができる。
本実施形態は、第二実施形態（図５Ａ参照）と第三実施形態（図５Ｂ参照）の玩具球構造１０を模式図とする。
本実施形態は、第一実施形態と第一実施形態の変化球体構造を利用することもできる。
【００３２】
上記を総合すると、本考案の空心玩具球構造は、第一軸端２０、第二軸端２１を備える。
第二軸端２１は、第一軸端２０の相対側に位置する。
各第一棒体３０は、第一軸端２０と第二軸端２１との間に連接し、球体表面１１０の第一エリア３１０を構成する。
さらに、複数の環状体６０は、相互に隣接する第一棒体３０の間に連接する。
これにより、各環状体６０は、球体表面１１０の第二エリア６１０を構成する。
また、第一軸端２０から延伸する各第二棒体４０を利用し、核第一棒体３０の間に設置し、第二棒体４０の一端を利用し、第一軸端２０に連接する。
各第二棒体４０の他端は、環状体６０に連接し、しかも各第二棒体４０は、球体表面１１０の第三エリア４１０を構成し、さらに第二軸端２１より延伸する各第三棒体５０を利用し、各第一棒体３０間に設置し、第三棒体５０の一端を利用し、第二軸端２１に連接する。
各第三棒体５０の他端は、環状体６０に連接し、しかも書く第三棒体５０は、球体表面１１０の第四エリア５１０を構成する。
本考案は、上記した方式を利用し、各第一棒体３０、各第二棒体４０、各第三棒体５０を用いて、球体表面１１０を組成する。
その構造は簡単かつ安全で、尖鋭部や鋭利辺を備えず、しかも各環状体６０を利用して、構造強度を強化できる。
これにより、玩具球構造１０は、外力による破壊を受けて、変形して損壊する恐れがなくなる。
【００３３】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３４】
１２  網状格子
１４  環状構造
１６  環状構造
１８  表面
１０  玩具球構造
１１０  球体表面
２０  第一軸端
２１  第二軸端
３０  第一棒体
３１  半分の第一棒体
３２  半分の第一棒体
３１０  第一エリア
４０  第二棒体
４１０  第三エリア
５０  第三棒体
５１０  第四エリア
６０  環状体
６０Ａ  環状体
６０Ｂ  環状体
６０Ｃ  補助環状体
６０Ｄ  補助環状体
６１０  第二エリア
【図１】
0003195891.tif 000003
【図２Ａ】
0003195891.tif 000004
【図２Ｂ】
0003195891.tif 000005
【図３Ａ】
0003195891.tif 000006
【図３Ｂ】
0003195891.tif 000007
【図３Ｃ】
0003195891.tif 000008
【図４】
0003195891.tif 000009
【図５Ａ】
0003195891.tif 000010
【図５Ｂ】
0003195891.tif 000011
【手続補正書】
【提出日】平成26年11月26日(2014.11.26)
【手続補正１】
【補正対象書類名】実用新案登録請求の範囲
【補正対象項目名】請求項３
【補正方法】変更
【補正の内容】
【請求項３】
前記各第一棒体、前記各第二棒体、前記各第三棒体が構成する球体表面はそれぞれ９本の棒体を利用して構成することを特徴とする請求項１に記載の空心玩具球構造。
【手続補正２】
【補正対象書類名】実用新案登録請求の範囲
【補正対象項目名】請求項４
【補正方法】変更
【補正の内容】
【請求項４】
前記各環状体が構成する球体表面は６個の環状体を利用して構成することを特徴とする請求項１に記載の空心玩具球構造。